(57)【要約】  【目的】  ＣＣＤに固有のノイズが低減されたCCD-RAW画像データをメモリ・カードに記録する。  【構成】  被写体を撮像することにより，ＣＣＤからCCD-RAW画像データが得られる。CCD-RAW画像データは，オフセット／傷補正回路21およびノイズ低減回路22において，ＣＣＤに固有のノイズが低減され第１のカラー画像データとなる。第１のカラー画像データが，ＣＣＤに固有のノイズが低減されていることを示す信号処理情報とともにメモリ・カードに記録される。画像再生時には，信号処理情報にもとづいて，ＣＣＤに固有のノイズを低減する処理以外の第１の色補正処理，階調補正処理，第２の色補正処理およびデータ圧縮処理が行われる。ＣＣＤに固有のノイズを低減する処理が行われているので，画像再生時に，その固有のノイズ低減処理が不要となり，CCD-RAW画像データが得られたときに用いられていたＣＣＤについての情報を画像再生装置に与える必要がない。  【選択図】  図２
2006270478.tif 000002
【特許請求の範囲】
【請求項１】
被写体を撮像し，被写体像を表すCCD-RAW画像データを出力する固体電子撮像素子，
上記固体電子撮像素子から出力されたCCD-RAW画像データから上記固体電子撮像素子に固有のノイズを低減するノイズ低減回路，および
上記ノイズ低減回路において上記固体電子撮像素子に固有のノイズが低減されたCCD-RAW画像データをディジタル・カメラに着脱自在な記録媒体に記録する記録制御手段，
を備えたディジタル・カメラ。
【請求項２】
上記記録制御手段が，
上記固有のノイズが低減されたCCD-RAW画像データおよび上記固有のノイズが低減されたCCD-RAW画像データが上記記録媒体に記録されていることを示す情報を上記記録媒体に記録するものである，
請求項１に記載のディジタル・カメラ。
【請求項３】
被写体を撮像し，カラーの被写体像を表すCCD-RAWカラー画像データを出力する固体電子撮像素子，
上記固体電子撮像素子から出力されたCCD-RAWカラー画像データから上記固体電子撮像素子に固有のノイズを低減し，ノイズ低減された第１のカラー画像データを出力するノイズ低減回路，
上記ノイズ低減回路から出力された第１のカラー画像データについて色補正を行い，色補正が行われた第２のカラー画像データを出力する色補正回路，
上記色補正回路から出力された第２のカラー画像データについて階調補正を行い，階調補正が行われた第３のカラー画像データを出力する階調補正回路，
上記CCD-RAWカラー画像データ，上記第１のカラー画像データ，上記第２のカラー画像データおよび上記第３のカラー画像データのうち，ディジタル・カメラに着脱自在な記録媒体に記録する画像データを選択する選択手段，ならびに
上記選択手段によって選択された画像データおよび選択された画像データについて行われた画像処理内容を示す情報を上記着脱自在な記録媒体に記録する記録制御手段，
を備えたディジタル・カメラ。
【請求項４】
CCD-RAWカラー画像データ，上記CCD-RAWカラー画像データからノイズ低減処理によってノイズ低減された第１のカラー画像データ，上記第１のカラー画像データに色補正処理によって色補正が行われた第２のカラー画像データまたは上記第２のカラー画像データに階調補正処理によって階調補正が行われた第３のカラー画像データがディジタル・カメラに着脱自在な記録媒体に記録されており，かつ上記CCD-RAWカラー画像データ，上記第１のカラー画像データ，上記第２のカラー画像データおよび上記第３のカラー画像データのうち上記記録媒体に記録されている画像データについて行われている処理内容を示す情報が上記記録媒体に記録されている上記記録媒体から上記画像データおよび上記処理内容を示す情報を読み取る読み取り手段，ならびに
上記読み取り手段によって読み取られた上記処理内容を示す情報にもとづいて，上記ノイズ低減処理，上記色補正処理および上記階調補正処理のうち上記読み取り手段によって読み取られた上記画像データについて行われていない処理を行うデータ処理手段，
を備えた画像再生装置。
【請求項５】
固体電子撮像素子を用いて被写体を撮像し，被写体像を表すCCD-RAW画像データを得，
上記固体電子撮像素子から出力されたCCD-RAW画像データから上記固体電子撮像素子に固有のノイズを低減し，
上記固体電子撮像素子に固有のノイズが低減されたCCD-RAW画像データをディジタル・カメラに着脱自在な記録媒体に記録する，
ディジタル・カメラの制御方法。
【請求項６】
被写体を撮像し，カラーの被写体像を表すCCD-RAWカラー画像データを出力する固体電子撮像素子，上記固体電子撮像素子から出力されたCCD-RAWカラー画像データから上記固体電子撮像素子に固有のノイズを低減し，ノイズ低減された第１のカラー画像データを出力するノイズ低減回路，上記ノイズ低減回路から出力された第１のカラー画像データについて色補正を行い，色補正が行われた第２のカラー画像データを出力する色補正回路，ならびに上記色補正回路から出力された第２のカラー画像データについて階調補正を行い，階調補正が行われた第３のカラー画像データを出力する階調補正回路を備えたディジタル・カメラの制御方法において，
上記CCD-RAWカラー画像データ，上記第１のカラー画像データ，上記第２のカラー画像データおよび上記第３のカラー画像データのうち，ディジタル・カメラに着脱自在な記録媒体に記録する画像データを選択し，
選択された画像データおよび選択された画像データについて行われた画像処理内容を示す情報を上記着脱自在な記録媒体に記録する，
ディジタル・カメラの制御方法。
【請求項７】
CCD-RAWカラー画像データ，上記CCD-RAWカラー画像データからノイズ低減処理によってノイズ低減された第１のカラー画像データ，上記第１のカラー画像データに色補正処理によって色補正が行われた第２のカラー画像データまたは上記第２のカラー画像データに階調補正処理によって階調補正が行われた第３のカラー画像データがディジタル・カメラに着脱自在な記録媒体に記録されており，かつ上記CCD-RAWカラー画像データ，上記第１のカラー画像データ，上記第２のカラー画像データおよび上記第３のカラー画像データのうち上記記録媒体に記録されている画像データについて行われている処理内容を示す情報が上記記録媒体に記録されている上記記録媒体から上記画像データおよび上記処理内容を示す情報を読み取り，
読み取られた上記処理内容を示す情報にもとづいて，上記ノイズ低減処理，上記色補正処理ならびに上記階調補正処理のうち上記読み取り手段によって読み取られた上記画像データについて行われていない処理を行う，
画像再生装置の制御方法。
【請求項８】
画像再生装置を制御するプログラムであって，CCD-RAWカラー画像データ，上記CCD-RAWカラー画像データからノイズ低減処理によってノイズ低減された第１のカラー画像データ，上記第１のカラー画像データに色補正処理によって色補正が行われた第２のカラー画像データまたは上記第２のカラー画像データに階調補正処理によって階調補正が行われた第３のカラー画像データがディジタル・カメラに着脱自在な記録媒体に記録されており，かつ上記CCD-RAWカラー画像データ，上記第１のカラー画像データ，上記第２のカラー画像データおよび上記第３のカラー画像データのうち上記記録媒体に記録されている画像データについて行われている処理内容を示す情報が上記記録媒体に記録されている上記記録媒体から上記画像データおよび上記処理内容を示す情報を読み取らせ，
読み取られた上記処理内容を示す情報にもとづいて，上記ノイズ低減処理，上記第１の色補正処理および上記階調補正処理のうち上記読み取り手段によって読み取られた上記画像データについて行われていない処理を行わせるように上記画像再生装置を制御するプログラム。
【発明の詳細な説明】
【技術分野】
【０００１】
この発明は，ディジタル・カメラ（携帯型情報機器にディジタル・カメラの機能を持たせたものを含む），画像再生装置およびそれらの制御方法ならびに画像再生装置を制御するプログラムに関する。
【背景技術】
【０００２】
高画質の画像を得るために，データ圧縮などが行われていないCCD-RAW画像データをメモリ・カードに記録できるディジタル・スチル・カメラが考えられている（特許文献１）。CCD-RAW画像データが記録されているメモリ・カードがパーソナル・コンピュータに装填されることにより，パーソナル・コンピュータにおいて，CCD-RAW画像データに対して各種信号処理が行われる。
【特許文献１】特開2001−61067号公報
【０００３】
しかしながら，ディジタル・カメラで行う方が好ましい信号処理もある。
【発明の開示】
【０００４】
この発明は，ディジタル・カメラに適した信号処理をディジタル・カメラで行うようにすることを目的とする。
【０００５】
第１の発明によるディジタル・カメラは，被写体を撮像し，被写体像を表すCCD-RAW画像データを出力する固体電子撮像素子，上記固体電子撮像素子から出力されたCCD-RAW画像データから上記固体電子撮像素子に固有のノイズを低減するノイズ低減回路，および上記ノイズ低減回路において上記固体電子撮像素子に固有のノイズが低減されたCCD-RAW画像データをディジタル・カメラに着脱自在な記録媒体に記録する記録制御手段を備えていることを特徴とする。
【０００６】
第１の発明は，上記ディジタル・カメラに適した制御方法も提供している。すなわち，この方法は，固体電子撮像素子を用いて被写体を撮像し，被写体像を表すCCD-RAW画像データを得，上記固体電子撮像素子から出力されたCCD-RAW画像データから上記固体電子撮像素子に固有のノイズを低減し，上記固体電子撮像素子に固有のノイズが低減されたCCD-RAW画像データをディジタル・カメラに着脱自在な記録媒体に記録するものである。
【０００７】
第１の発明によると，ディジタル・カメラに設けられている固体電子撮像素子を用いて被写体を撮像することにより，被写体像を表すCCD-RAW画像データが得られる。得られたCCD-RAW画像データから固体電子撮像素子に固有のノイズが低減される。この固有のノイズが低減されたCCD-RAW画像データがディジタル・カメラに着脱自在な記録媒体に記録される。固体電子撮像素子に固有のノイズは，固体電子撮像素子に固有のものであれば固体電子撮像素子ごとに一定でないランダム・ノイズなども含む。
【０００８】
固体電子撮像素子に固有のノイズを低減する処理をパーソナル・コンピュータにおいて行うとすると，記録媒体に固体電子撮像素子の情報を書き込む必要がある。第１の発明においては，固体電子撮像素子に固有のノイズを低減する処理は，パーソナル・コンピュータではなくディジタル・カメラで行われる。ディジタル・カメラに設けられている固体電子撮像素子の情報は，ディジタル・カメラにおいて認識できるからノイズ低減回路において固体電子撮像素子に固有のノイズを比較的簡単に低減できる。
【０００９】
第２の発明は，被写体を撮像し，カラーの被写体像を表すCCD-RAWカラー画像データを出力する固体電子撮像素子，上記固体電子撮像素子から出力されたCCD-RAWカラー画像データから上記固体電子撮像素子に固有のノイズを低減し，ノイズ低減された第１のカラー画像データを出力するノイズ低減回路，上記ノイズ低減回路から出力された第１のカラー画像データについて色補正を行い，色補正が行われた第２のカラー画像データを出力する色補正回路，上記色補正回路から出力された第２のカラー画像データについて階調補正を行い，階調補正が行われた第３のカラー画像データを出力する階調補正回路，上記CCD-RAWカラー画像データ，上記第１のカラー画像データ，上記第２のカラー画像データおよび上記第３のカラー画像データのうち，ディジタル・カメラに着脱自在な記録媒体に記録する画像データを選択する選択手段，ならびに上記選択手段によって選択された画像データおよび選択された画像データについて行われた画像処理内容を示す情報を上記着脱自在な記録媒体に記録する記録制御手段を備えていることを特徴とする。
【００１０】
第２の発明は，上記ディジタル・カメラに適した制御方法も提供している。すなわち，この方法は，被写体を撮像し，カラーの被写体像を表すCCD-RAWカラー画像データを出力する固体電子撮像素子，上記固体電子撮像素子から出力されたCCD-RAWカラー画像データから上記固体電子撮像素子に固有のノイズを低減し，ノイズ低減された第１のカラー画像データを出力するノイズ低減回路，上記ノイズ低減回路から出力された第１のカラー画像データについて色補正を行い，色補正が行われた第２のカラー画像データを出力する色補正回路ならびに上記色補正回路から出力された第２のカラー画像データについて階調補正を行い，階調補正が行われた第３のカラー画像データを出力する階調補正回路を備えたディジタル・カメラの制御方法において，上記CCD-RAWカラー画像データ，上記第１のカラー画像データ，上記第２のカラー画像データおよび上記第３のカラー画像データのうち，ディジタル・カメラに着脱自在な記録媒体に記録する画像データを選択し，選択された画像データおよび選択された画像データについて行われた画像処理内容を示す情報を上記着脱自在な記録媒体に記録するものである。
【００１１】
第２の発明によると，CCD-RAWカラー画像データ，上記固体電子撮像素子の固有のノイズが除去された第１のカラー画像データ，色補正が行われた第２のカラー画像データ，階調補正が行われた第３のカラー画像データが得られる。これらのCCD-RAWカラー画像データ，第１のカラー画像データ，第２のカラー画像データおよび第３のカラー画像データのうち，ディジタル・カメラに着脱自在な記録媒体に記録すべき画像データが選択される。選択された画像データが記録媒体に記録される。
【００１２】
第２の発明によると，CCD-RAWカラー画像データ，第１のカラー画像データ，第２のカラー画像データおよび第３のカラー画像データのうち，所望のカラー画像データをディジタル・カメラに着脱自在な記録媒体に記録することができるようになる。ディジタル・カメラに適した処理が行われた画像データを記録媒体に記録できる。
【００１３】
第３の発明による画像再生装置は，CCD-RAWカラー画像データ，上記CCD-RAWカラー画像データからノイズ低減処理によってノイズ低減された第１のカラー画像データ，上記第１のカラー画像データに色補正処理によって色補正が行われた第２のカラー画像データまたは上記第２のカラー画像データに階調補正処理によって階調補正が行われた第３のカラー画像データがディジタル・カメラに着脱自在な記録媒体に記録されており，かつ上記CCD-RAWカラー画像データ，上記第１のカラー画像データ，上記第２のカラー画像データおよび上記第３のカラー画像データのうち上記記録媒体に記録されている画像データについて行われている処理内容を示す情報が上記記録媒体に記録されている上記記録媒体から上記画像データおよび上記処理内容を示す情報を読み取る読み取り手段，ならびに上記読み取り手段によって読み取られた上記処理内容を示す情報にもとづいて，上記ノイズ低減処理，上記第１の色補正処理および上記階調補正処理のうち上記読み取り手段によって読み取られた上記画像データについて行われていない処理を行うデータ処理手段を備えていることを特徴とする。
【００１４】
第３の発明は，上記画像再生装置に適した制御方法も提供している。すなわち，この方法は，CCD-RAWカラー画像データ，上記CCD-RAWカラー画像データからノイズ低減処理によってノイズ低減された第１のカラー画像データ，上記第１のカラー画像データに色補正処理によって色補正が行われた第２のカラー画像データまたは上記第２のカラー画像データに階調補正処理によって階調補正が行われた第３のカラー画像データがディジタル・カメラに着脱自在な記録媒体に記録されており，かつ上記CCD-RAWカラー画像データ，上記第１のカラー画像データ，上記第２のカラー画像データおよび上記第３のカラー画像データのうち上記記録媒体に記録されている画像データについて行われている処理内容を示す情報が上記記録媒体に記録されている上記記録媒体から上記画像データおよび上記処理内容を示す情報を読み取り，読み取られた上記処理内容を示す情報にもとづいて，上記ノイズ低減処理，上記第１の色補正処理および上記階調補正処理のうち上記読み取り手段によって読み取られた上記画像データについて行われていない処理を行うものである。
【００１５】
第３の発明は，上記画像再生装置を制御するためのプログラムも提供している。
【００１６】
第３の発明によると，記録媒体には，上記CCD-RAWカラー画像データ，上記第１のカラー画像データ，上記第２のカラー画像データまたは上記第３のカラー画像データが記録されており，記録されている画像データが行われている処理内容も記録されている。記録媒体から読み取られた画像データについて，上記ノイズ低減処理，上記第１の色補正処理，上記階調補正処理および上記第２の色補正処理のうち行われていない処理が行われる。
【００１７】
記録媒体に記録されている画像データについて行われていない処理を画像再生装置において行うことができるようになる。
【実施例】
【００１８】
図１は，この発明の実施例を示すもので，ディジタル・スチル・カメラの電気的構成を示すブロック図である。
【００１９】
ディジタル・スチル・カメラの全体の動作は，ＣＰＵ10によって統括される。
【００２０】
この実施例によるディジタル・スチル・カメラは，複数段階の信号処理のうち所望段階の信号処理が行われた画像データをメモリ・カードに記録することができる。どの段階までの信号処理が行われた画像データをメモリ・カード13に記録するかはユーザによって，カメラ操作器８に含まれている選択スイッチを用いて指定される。また，カメラ操作器８には，撮影モード，再生モードなどのモードを設定するモード設定スイッチ，シャッタ・レリーズ・ボタンなども含まれている。カメラ操作器８から出力される操作信号は，ＣＰＵ10に入力する。
【００２１】
ディジタル・スチル・カメラには，ストロボ撮影のためにストロボ発光装置７も含まれている。また，ＣＰＵ10には，ディジタル・スチル・カメラの各回路に電源を供給するための電源回路９も接続されている。
【００２２】
撮像モードが設定されると，レンズ駆動回路６によって撮像レンズ１が制御され，被写体像がＣＣＤ２の受光面上に結像する。被写体像を表す映像信号がＣＣＤ２から出力され，撮像回路３に入力する。撮像回路３において，相関二重サンプリングなどの所定の信号処理が行われる。撮像回路３から出力した映像信号は，アナログ／ディジタル変換回路４においてディジタルのCCD-RAW画像データに変換される。CCD-RAW画像データは，メモリ５を単に通過して信号処理回路11に入力する。信号処理回路11においてスルー画表示用の簡易な処理（白バランス調整，同時化など）が行われる。
【００２３】
信号処理回路11から出力した画像データは，画像合成回路14を介して液晶表示装置15および電子ビュー・ファインダ16に与えられる。液晶表示装置15および電子ビュー・ファインダ16のそれぞれの表示画面に被写体像が表示される。
【００２４】
シャッタ・レリーズ・ボタンが押されると，後述のように，信号処理回路11において記録用の処理が行われる。信号処理回路11から出力された画像データは，メモリ５に与えられ，一時的に記憶される。画像データは，カード・インターフェイス12を介して，ディジタル・スチル・カメラに着脱自在なメモリ・カード13に与えられ，記録される。
【００２５】
図２は，信号処理回路11の電気的構成を示すブロック図である。図２においては，記録用の処理ブロックが図示されており，スルー画表示用の簡易な処理を行うブロックについては省略されている。
【００２６】
アナログ／ディジタル変換回路４から出力されたCCD-RAW画像データは，オフセット／傷補正回路21において，ＣＣＤ２のオフセット処理および傷補正処理が行われて，ノイズ低減回路22に入力する。ノイズ低減回路22においてCCD-RAW画像データからＣＣＤ２に固有のランダム・ノイズが除去される。オフセット／傷補正回路21およびノイズ低減回路22において，ディジタル・スチル・カメラに設けられているＣＣＤ２に固有のノイズが除去される。
【００２７】
ノイズ低減回路22によってＣＣＤ２に固有のノイズが除去されたCCD-RAW画像データは，第１のカラー画像データとして，色補正回路31を構成する白バランス補正回路23に入力する。白バランス補正回路23において，第１のカラー画像データの白バランスが補正される。白バランスが補正された第１のカラー画像データは，リニア・マトリクス回路24において色補正が行われて第２のカラー画像データとして色補正回路31から出力される。
【００２８】
色補正回路31から出力された第２のカラー画像データは，階調補正回路32を構成するガンマ補正回路25においてガンマ補正される。ガンマ補正された第２のカラー画像データは，同時化回路26において同時化処理が行われて第３のカラー画像データとして階調補正回路32から出力される。
【００２９】
階調補正回路32から出力された第３のカラー画像データは，画像調整回路33を構成する色差マトリクス回路27に入力する。色差マトリクス回路27において画像の色の付き具合が微調整される。色差マトリクス回路27から出力された第３のカラー画像データは，トリミング／リサイズ処理回路28において，所定の大きさとなるようにトリミング処理およびリサイズ処理が行われる。トリミング／リサイズ処理回路28においてトリミング処理およびリサイズ処理が行われた第３のカラー画像データは，輪郭補正回路29において画像の輪郭が強調されるように輪郭補正処理が行われる。輪郭補正回路29からの出力が画像調整回路33の出力となり，第４のカラー画像データとして画像圧縮回路30に与えられる。
【００３０】
画像調整回路33から出力された第４のカラー画像データは，画像圧縮回路30においてデータ圧縮が行われ，圧縮画像データとして出力される。
【００３１】
信号処理回路11からは，ユーザの選択に応じてCCD-RAW画像データ，第１のカラー画像データ，第２のカラー画像データ，第３のカラー画像データ，第４のカラー画像データまたは圧縮画像データが出力されることとなる。信号処理回路11から出力した画像データが上述のように，メモリ５を介してメモリ・カード13に与えられて記録される。また，この実施例によるディジタル・スチル・カメラにおいては，メモリ・カード13に記録された画像データが，CCD-RAW画像データか，ＣＣＤ２に固有のノイズを低減する処理が行われたものか（第１のカラー画像データ），ＣＣＤ２に固有のノイズを低減する処理および色補正回路31における色補正処理が行われたものか（第２のカラー画像データ），ＣＣＤ２に固有のノイズを低減する処理，色補正回路31における色補正処理および階調補正回路32における階調補正処理が行われたものか（第３のカラー画像データ），ＣＣＤ２に固有のノイズを低減する処理，色補正回路31における色補正処理，階調補正回路32における階調補正処理および画像調整回路33における画像調整処理が行われたものか（第４のカラー画像でテータ），ＣＣＤ２に固有のノイズを低減する処理，色補正回路31における色補正処理，階調補正回路32における階調補正処理，画像調整回路33における画像調整処理および画像圧縮回路30におけるデータ圧縮処理が行われたものか（圧縮画像データ）かを示す信号処理情報もメモリ・カード13に記録される。
【００３２】
図３は，メモリ・カード13のデータ構造を示している。
【００３３】
メモリ・カード13には，ヘッダ記録領域と画像データ記録領域とが含まれている。
【００３４】
画像データ記録領域には，CCD-RAW画像データ，第１のカラー画像データ，第２のカラー画像データ，第３のカラー画像データ，第４のカラー画像データおよび圧縮画像データのうち，上述のようにユーザによって選択された画像データが記録される。もちろん１駒の画像につき複数の画像データを記録するようにしてもよい。
【００３５】
ヘッダ記録領域には，メモリ・カード13を管理する情報等が記録される。具体的には，ヘッダ記録領域には，画像データ記録領域に記録されている画像データによって表される被写体像のサムネイル画像を表すサムネイル画像データ（サムネイル画像データは，メモリ５に一時的に記憶される画像データを間引くことにより生成できよう）および画像付属情報が記録される。画像付属情報には，撮影日時，感度，シャッタ・スピード，画質モードおよび上述した信号処理情報がある。
【００３６】
図４は，ディジタル・スチル・カメラの記録処理手順を示すフローチャートである。
【００３７】
まず，ユーザによってメモリ・カード13に記録すべき画像データが選択される。
【００３８】
CCD-RAW画像データが選択された場合には，上述のように，アナログ／ディジタル変換回路４から出力したCCD-RAW画像データがメモリ・カード13に与えられて信号処理情報とともに記録される（ステップ56）。
【００３９】
第１のカラー画像データが選択された場合には，CCD-RAW画像データがオフセット／傷補正回路21およびノイズ低減回路22においてそれぞれノイズ低減処理が行われる。（ステップ41）。これにより，ＣＣＤ２に固有のノイズ低減処理が行われ，第１の画像データが得られる。第１のカラー画像データが信号処理情報とともに，メモリ・カード13に記録される（ステップ56）。
【００４０】
第２のカラー画像データが選択された場合には，ＣＣＤ２に固有のノイズを低減する処理が行われ（ステップ42），かつ色補正回路31において色補正が行われて第２のカラー画像データが得られる（ステップ43）。第２のカラー画像データが信号処理情報とともに，メモリ・カード13に記録される（ステップ56）。
【００４１】
第３のカラー画像データが選択された場合には，ＣＣＤ２の固有のノイズを低減する処理（ステップ44），色補正処理（ステップ45）および階調補正回路32における階調補正処理（ステップ46）が行われ，第３のカラー画像データが得られる。得られた第３のカラー画像データが信号処理情報とともにメモリ・カード13に記録される（ステップ56）。
【００４２】
第４のカラー画像データが選択された場合には，ＣＣＤ２の固有のノイズを低減する処理（ステップ47），色補正処理（ステップ48），階調補正処理（ステップ49）および画像調整回路33における画像調整処理が行われ，第４のカラー画像データが得られる。得られた第４のカラー画像データが信号処理情報とともにメモリ・カード13に記録される（ステップ56）。
【００４３】
圧縮画像データが選択された場合には，ＣＣＤ２の固有のノイズを低減する処理（ステップ51），色補正処理（ステップ52），階調補正処理（ステップ53），画像調整処理（ステップ54）および画像圧縮回路30におけるデータ圧縮処理（ステップ55）が行われ，圧縮画像データが得られる。得られた圧縮画像データが信号処理情報とともにメモリ・カード13に記録される（ステップ56）。
【００４４】
図５は，画像再生装置（パーソナル・コンピュータ）の電気的構成を示すブロック図である。
【００４５】
画像再生装置の全体の動作は，ＣＰＵ60によって統括される。
【００４６】
画像再生装置には，画像を表示する表示装置61，画像をプリントするプリンタ62，データを一時的に記憶するメモリ63およびキーボード64が含まれている。画像再生装置には，さらに，ＣＤ−ＲＯＭ（コンパクトディスク・リード−オンリ・メモリ）69に記録されているプログラム，データ等を読み取るＣＤ−ＲＯＭドライブ65が含まれている。ＣＤ−ＲＯＭ69に記録されているプログラムがＣＤ−ＲＯＭドライブ65によって読み取られることにより，後述するように画像再生装置が動作する。また，画像再生装置には，上述したようにディジタル・スチル・カメラによって画像データ，信号処理情報等が記録されているメモリ・カード13などを読み取るためのメモリ・カード・インターフェイス66も含まれている。さらに，画像再生装置には，ハードディスク68およびハードディスク・ドライブ67も含まれている。
【００４７】
図６は，画像再生装置の処理手順を示すフローチャートである。
【００４８】
上述のようにして，ディジタル・スチル・カメラによって画像データ，信号処理情報等が記録されたメモリ・カード13が画像再生装置に装填された場合の処理手順について説明する。
【００４９】
画像再生装置にメモリ・カード13が装填され，再生すべき画像がユーザによって指定されると，その指定された画像を表す画像データおよびその画像に対応する信号処理情報がメモリ・カード13から読み取られる（ステップ71）。読み取られた信号処理情報から，ユーザによって指定された画像を表す画像データがCCD-RAW画像データか（ステップ72），第１のカラー画像データか（ステップ74），第２のカラー画像データか（ステップ76），第３のカラー画像データか（ステップ78），第４のカラー画像データか（ステップ80），圧縮画像データか（ステップ82）が判断される。
【００５０】
CCD-RAW画像データであれば（ステップ72でＹＥＳ），上述したように，ＣＣＤ２の固有のノイズ低減処理，色補正処理，階調補正処理，画像調整処理およびデータ圧縮処理が行われていないから，これらのノイズ低減処理，色補正処理，階調補正処理，画像調整処理およびデータ圧縮処理が行われる（ステップ73）。画像再生装置では，どのようなＣＣＤを用いてCCD-RAW画像データが得られたかが認識できないから，再生すべき画像として指定された画像に対応してＣＣＤのメーカ名，型番などのについての情報（またはディジタル・スチル・カメラの機種などの情報）がディジタル・スチル・カメラによってメモリ・カード13に記録されよう。ＣＣＤの情報にもとづいて，ＣＣＤに固有のノイズ低減処理が行われる。
【００５１】
第１のカラー画像データであれば（ステップ74でＹＥＳ），ＣＣＤ２の固有のノイズ低減処理は行われているが，色補正処理，階調補正処理，画像調整処理およびデータ圧縮処理が行われていないから，これらの色補正処理，階調補正処理，画像調整処理およびデータ圧縮処理が行われる（ステップ75）。
【００５２】
第２のカラー画像データであれば（ステップ76でＹＥＳ），ＣＣＤ２の固有のノイズ低減処理および色補正処理は行われているが階調補正処理，画像調整処理およびデータ圧縮処理が行われていないから，これらの階調補正処理，画像調整処理およびデータ圧縮処理が行われる（ステップ77）。
【００５３】
第３のカラー画像データであれば（ステップ78でＹＥＳ），ＣＣＤ２の固有のノイズ低減処理，色補正処理および階調補正処理は行われているが，画像調整処理およびデータ圧縮処理が行われてないから，これらの画像調整処理およびデータ圧縮処理が行われる（ステップ79）。
【００５４】
第４のカラー画像データであれば（ステップ80でＹＥＳ），ＣＣＤ２の固有のノイズ低減処理，色補正処理，階調補正処理および画像調整処理は行われているが，データ圧縮処理が行われていないから，このデータ圧縮処理が行われる（ステップ81）。
【００５５】
圧縮画像データであれば（ステップ82でＹＥＳ），ＣＣＤ２のノイズ低減処理，色補正処理，階調補正処理，画像調整処理およびデータ圧縮処理のすべてが行われているので，これらの処理は再び行われない。
【００５６】
このようにして，ディジタル・スチル・カメラでは行われていない処理が画像再生装置において行われて，再生（表示，プリント）されることとなる。
【図面の簡単な説明】
【００５７】
【図１】ディジタル・スチル・カメラの電気的構成を示すブロック図である。
【図２】信号処理回路の電気的構成を示すブロック図である。
【図３】メモリ・カードのデータ構造を示している。
【図４】ディジタル・スチル・カメラの記録処理手順を示すフローチャートである。
【図５】画像再生装置の電気的構成を示すブロック図である。
【図６】画像再生装置の再生処理手順を示すフローチャートである。
【符号の説明】
【００５８】
２  ＣＣＤ
10，60  ＣＰＵ
11  信号処理回路
13  メモリ・カード
21  オフセット／傷補正回路（ノイズ低減回路）
22  ノイズ低減回路
23  白バランス補正回路
24  リニア・マトリクス回路
25  ガンマ補正回路
26  同時化回路
27  色差マトリクス回路
28  トリミング／リサイズ処理回路
29  輪郭補正回路
31  第１の色補正回路
32  階調補正回路
65  CD-ROM
69  CD-ROMドライブ
【図１】
2006270478.tif 000003
【図２】
2006270478.tif 000004
【図３】
2006270478.tif 000005
【図４】
2006270478.tif 000006
【図５】
2006270478.tif 000007
【図６】
2006270478.tif 000008